(57)【要約】【課題】  問題の発生が確認できている複数の人等のアクターに対し、それぞれのアクターが共通して持つ要因（情報）をデータベースから取得する医療支援システムを提供する。【解決手段】  各患者の検査に関する情報であって複数のデータ項目から構成される該情報である患者検査情報が格納されている格納手段と、前記データ項目に対応する項目に、前記患者検査情報のうち所定の患者検査情報を検索するための検索条件が入力される検索条件入力手段と、前記検索条件に基づいて、前記患者検査情報を検索する検索手段と、前記検索手段により検索された複数の前記患者検査情報間で、それぞれの前記データ項目内の値を比較する比較手段と、前記比較手段による比較結果に基づいて、前記複数の前記患者検査情報を表示させる制御を行う比較結果表示制御手段と、を備えることを特徴とする医療支援システムにより、上記課題を解決する。【選択図】      図４
2006277656.tif 000002
【特許請求の範囲】
【請求項１】
各患者の検査に関する情報であって複数のデータ項目から構成される該情報である患者検査情報が格納されている格納手段と、
前記データ項目に対応する項目に、前記患者検査情報のうち所定の患者検査情報を検索するための検索条件が入力される検索条件入力手段と、
前記検索条件に基づいて、前記患者検査情報を検索する検索手段と、
前記検索手段により検索された複数の前記患者検査情報間で、それぞれの前記データ項目内の値を比較する比較手段と、
前記比較手段による比較結果に基づいて、前記複数の前記患者検査情報を表示させる制御を行う比較結果表示制御手段と、
を備えることを特徴とする医療支援システム。
【請求項２】
前記検索条件入力手段により入力される前記所定の患者検査情報は、感染症に感染している患者またはその疑いのある患者に関する該患者検査情報であることを特徴とする請求項１に記載の医療支援システム。
【請求項３】
前記比較結果表示制御手段は、前記比較手段による比較結果に基づいて、前記患者検査情報間の前記データ項目内の値が共通する共通部分を、該共通部分以外とは異なる態様で表示させることを特徴とする請求項１に記載の医療支援システム。
【請求項４】
前記医療支援システムは、さらに、
前記検索手段による検索結果を表示させる制御を行う検索結果表示制御手段
を備えることを特徴とする請求項１に記載の医療支援システム。
【請求項５】
前記医療支援システムは、さらに、
所定のテーマと該テーマに対応する検索条件として用いる前記項目とを設定するテーマ設定手段と、
を備えることを特徴とする請求項１に記載の医療支援システム。
【請求項６】
前記医療支援システムは、さらに、
前記比較手段による比較結果に基づいて、前記複数の前記患者検査情報のグラフを作成するグラフ作成手段と、
を備えることを特徴とする請求項１に記載の医療支援システム。
【請求項７】
前記医療支援システムは、さらに、
前記グラフ作成手段にグラフを作成させるために、該グラフ化の種類と、該グラフ化の対象となる前記項目とが設定されるグラフ化設定手段と、
を備えることを特徴とする請求項６に記載の医療支援システム。
【請求項８】
前記格納手段に格納されている前記患者検査情報は、内視鏡検査に関する前記患者の検査情報であることを特徴とする請求項１に記載の医療支援システム。
【請求項９】
各患者の検査に関する情報であって複数のデータ項目から構成される該情報である患者検査情報が格納されている格納手段と、
前記データ項目に対応する項目に、前記患者検査情報のうち所定の患者検査情報を検索するための検索条件が入力される検索条件入力手段と、
前記検索条件に基づいて、前記患者検査情報を検索する検索手段と、
前記検索手段により検索された複数の前記患者検査情報間で、それぞれの前記データ項目内の値を比較する比較手段と、
前記比較手段による比較結果に基づいて、前記複数の前記患者検査情報を表示させる制御を行う比較結果表示制御手段と、
を備えることを特徴とする医療支援サーバ装置。
【請求項１０】
前記検索条件入力手段により入力される前記所定の患者検査情報は、感染症に感染している患者またはその疑いのある患者に関する該患者検査情報であることを特徴とする請求項９に記載の医療支援サーバ装置。
【請求項１１】
前記比較結果表示制御手段は、前記比較手段による比較結果に基づいて、前記患者検査情報間の前記データ項目内の値が共通する共通部分を、該共通部分以外とは異なる態様で表示させることを特徴とする請求項１に記載の医療支援サーバ装置。
【請求項１２】
前記医療支援サーバ装置は、さらに、
前記検索手段による検索結果を表示させる制御を行う検索結果表示制御手段
を備えることを特徴とする請求項９に記載の医療支援サーバ装置。
【請求項１３】
前記医療支援サーバ装置は、さらに、
所定のテーマと該テーマに対応する検索条件として用いる前記項目とを設定するテーマ設定手段と、
を備えることを特徴とする請求項９に記載の医療支援サーバ装置。
【請求項１４】
前記医療支援サーバ装置は、さらに、
前記比較手段による比較結果に基づいて、前記複数の前記患者検査情報のグラフを作成するグラフ作成手段と、
を備えることを特徴とする請求項９に記載の医療支援サーバ装置。
【請求項１５】
前記医療支援サーバ装置は、さらに、
前記グラフ作成手段にグラフを作成させるために、該グラフ化の種類と、該グラフ化の対象となる前記項目とが設定されるグラフ化設定手段と、
を備えることを特徴とする請求項１４に記載の医療支援サーバ装置。
【請求項１６】
前記格納手段に格納されている前記患者検査情報は、内視鏡検査に関する前記患者の検査情報であることを特徴とする請求項９に記載の医療支援サーバ装置。
【請求項１７】
各患者の検査に関する情報であって複数のデータ項目から構成される該情報である患者検査情報が格納されている格納装置から所定の該患者検査情報を検索する処理を、コンピュータに実行させる医療支援プログラムであって、
前記データ項目に対応する項目に、前記患者検査情報のうち所定の患者検査情報を検索するための検索条件を入力させる検索条件入力処理と、
前記検索条件に基づいて、前記患者検査情報を検索する検索処理と、
前記検索処理により検索された複数の前記患者検査情報間で、それぞれの前記データ項目内の値を比較する比較処理と、
前記比較処理による比較結果に基づいて、前記複数の前記患者検査情報を表示させる制御を行う比較結果表示制御処理と、
を、コンピュータに実行させる医療支援プログラム。
【請求項１８】
前記検索条件入力処理により入力される前記所定の患者検査情報は、感染症に感染している患者またはその疑いのある患者に関する該患者検査情報である
ことを特徴とする請求項１７に記載の医療支援プログラム。
【請求項１９】
前記比較結果表示制御処理は、前記比較処理による比較結果に基づいて、前記患者検査情報間の前記データ項目内の値が共通する共通部分を、該共通部分以外とは異なる態様で表示させる
ことを特徴とする請求項１７に記載の医療支援プログラム。
【請求項２０】
前記医療支援プログラムは、さらに、
前記検索処理による検索結果を表示させる制御を行う検索結果表示制御処理
を、コンピュータに実行させる請求項１７に記載の医療支援プログラム。
【請求項２１】
前記医療支援プログラムは、さらに、
所定のテーマと該テーマに対応する検索条件として用いる前記項目とを設定するテーマ設定処理と、
を、コンピュータに実行させる請求項１７に記載の医療支援プログラム。
【請求項２２】
前記医療支援プログラムは、さらに、
前記比較処理による比較結果に基づいて、前記複数の前記患者検査情報のグラフを作成するグラフ作成処理と、
を、コンピュータに実行させる請求項１７に記載の医療支援プログラム。
【請求項２３】
前記医療支援システムは、さらに、
前記グラフ作成処理にグラフを作成させるために、該グラフ化の種類と、該グラフ化の対象となる前記項目とが設定されるグラフ化設定処理と、
を、コンピュータに実行させる請求項２２に記載の医療支援プログラム。
【請求項２４】
前記格納処理に格納されている前記患者検査情報は、内視鏡検査に関する前記患者の検査情報である
ことを特徴とする請求項１７に記載の医療支援プログラム。
【請求項２５】
各患者の検査に関する情報であって複数のデータ項目から構成される該情報である患者検査情報が格納されている格納装置から所定の該患者検査情報を検索する医療支援方法であって、
前記データ項目に対応する項目に、前記患者検査情報のうち所定の患者検査情報を検索するための検索条件を入力し、
前記検索条件に基づいて、前記患者検査情報を検索し、
前記検索された複数の前記患者検査情報間で、それぞれの前記データ項目内の値を比較し、
前記比較結果に基づいて、前記複数の前記患者検査情報を表示させる制御を行う
ことを特徴とする医療支援方法。
【請求項２６】
前記複数の前記患者検査情報を表示させる制御を行う場合、前記比較結果に基づいて、前記患者検査情報間の前記データ項目内の値が共通する共通部分を、該共通部分以外とは異なる態様で表示させる
ことを特徴とする請求項２５に記載の医療支援方法。
【請求項２７】
前記医療支援方法は、さらに、
所定のテーマと該テーマに対応する検索条件として用いる前記項目とを設定する
ことを特徴とする請求項２５に記載の医療支援方法。
【請求項２８】
前記医療支援方法は、さらに、
前記比較処理による比較結果に基づいて、前記複数の前記患者検査情報のグラフを作成する
ことを特徴とする請求項２５に記載の医療支援方法。
【発明の詳細な説明】
【技術分野】
【０００１】
本発明は、患者の検査情報の２次利用をすることにより、医療スタッフの医療業務の効率化を図る医療支援システムに関する。
【背景技術】
【０００２】
感染症などが発生したときに、その原因を特定する為には、カルテなどの記録や集めた電子データを人手で探す為、時間と手間がかかっていた。また、検査に関連する情報をサーバに集めても、その情報の２次利用がしっかりとされていなかった。
【０００３】
従来、いくつかの質問への回答・制約条件を入力することで回答を推論して導き出すシステムとして、特許文献１、特許文献２、特許文献３、及び特許文献４などがあった。
【特許文献１】特開２００１−２７３３６２号公報
【特許文献２】特開２００１−３３１５８１号公報
【特許文献３】特開２００３−２９９６２３号公報
【特許文献４】特開２００２−１８３２９６号公報
【発明の開示】
【発明が解決しようとする課題】
【０００４】
しかしながら、特許文献１、特許文献２、及び特許文献３に記載のシステムは、入力条件から結論を導く推測機能を搭載しているため、入力条件が正しくないときは正確な答えを導けないという問題点があった。また、これらのシステムは、推論機構が甘いと間違った答えを導いてしまうという問題点があった。
【０００５】
更に、新しい問題が発生した場合、その問題への解答を導く為の条件をシステムに入力し無い限り、新問題の解答を導き出すことができなかった。
上記の課題に鑑み、本発明では、システム側で問題に対する解答を推論して求めるのではなく、問題の発生が確認できている複数の人や物、事象などのアクターに対し、それぞれのアクターが共通して持つ要因（情報）をデータベースから取得する医療支援システムを提供する。
【０００６】
さらに、システム利用者に複数のアクターで共通となった要因を図表化したり、文面として強調表示したりして、利用者自身に問題の原因を考えさせることで問題を解決しやすくする医療支援システムを提案する。
【課題を解決するための手段】
【０００７】
上記課題は、特許請求の範囲の請求項１に記載の発明によれば、各患者の検査に関する情報であって複数のデータ項目から構成される該情報である患者検査情報が格納されている格納手段と、前記データ項目に対応する項目に、前記患者検査情報のうち所定の患者検査情報を検索するための検索条件が入力される検索条件入力手段と、前記検索条件に基づいて、前記患者検査情報を検索する検索手段と、前記検索手段により検索された複数の前記患者検査情報間で、それぞれの前記データ項目内の値を比較する比較手段と、前記比較手段による比較結果に基づいて、前記複数の前記患者検査情報を表示させる制御を行う比較結果表示制御手段と、を備えることを特徴とする医療支援システムを提供することによって達成できる。
【０００８】
上記課題は、特許請求の範囲の請求項２に記載の発明によれば、前記検索条件入力手段により入力される前記所定の患者検査情報は、感染症に感染している患者またはその疑いのある患者に関する該患者検査情報であることを特徴とする請求項１に記載の医療支援システムを提供することによって達成できる。
【０００９】
上記課題は、特許請求の範囲の請求項３に記載の発明によれば、前記比較結果表示制御手段は、前記比較手段による比較結果に基づいて、前記患者検査情報間の前記データ項目内の値が共通する共通部分を、該共通部分以外とは異なる態様で表示させることを特徴とする請求項１に記載の医療支援システムを提供することによって達成できる。
【００１０】
上記課題は、特許請求の範囲の請求項４に記載の発明によれば、前記医療支援システムは、さらに、前記検索手段による検索結果を表示させる制御を行う検索結果表示制御手段を備えることを特徴とする請求項１に記載の医療支援システムを提供することによって達成できる。
【００１１】
上記課題は、特許請求の範囲の請求項５に記載の発明によれば、前記医療支援システムは、さらに、所定のテーマと該テーマに対応する検索条件として用いる前記項目とを設定するテーマ設定手段と、を備えることを特徴とする請求項１に記載の医療支援システムを提供することによって達成できる。
【００１２】
上記課題は、特許請求の範囲の請求項６に記載の発明によれば、前記医療支援システムは、さらに、前記比較手段による比較結果に基づいて、前記複数の前記患者検査情報のグラフを作成するグラフ作成手段と、を備えることを特徴とする請求項１に記載の医療支援システムを提供することによって達成できる。
【００１３】
上記課題は、特許請求の範囲の請求項７に記載の発明によれば、前記医療支援システムは、さらに、前記グラフ作成手段にグラフを作成させるために、該グラフ化の種類と、該グラフ化の対象となる前記項目とが設定されるグラフ化設定手段と、を備えることを特徴とする請求項６に記載の医療支援システムを提供することによって達成できる。
【００１４】
上記課題は、特許請求の範囲の請求項８に記載の発明によれば、前記格納手段に格納されている前記患者検査情報は、内視鏡検査に関する前記患者の検査情報であることを特徴とする請求項１に記載の医療支援システムを提供することによって達成できる。
【００１５】
上記課題は、特許請求の範囲の請求項９に記載の発明によれば、各患者の検査に関する情報であって複数のデータ項目から構成される該情報である患者検査情報が格納されている格納手段と、前記データ項目に対応する項目に、前記患者検査情報のうち所定の患者検査情報を検索するための検索条件が入力される検索条件入力手段と、前記検索条件に基づいて、前記患者検査情報を検索する検索手段と、前記検索手段により検索された複数の前記患者検査情報間で、それぞれの前記データ項目内の値を比較する比較手段と、前記比較手段による比較結果に基づいて、前記複数の前記患者検査情報を表示させる制御を行う比較結果表示制御手段と、を備えることを特徴とする医療支援サーバ装置を提供することによって達成できる。
【００１６】
上記課題は、特許請求の範囲の請求項１０に記載の発明によれば、前記検索条件入力手段により入力される前記所定の患者検査情報は、感染症に感染している患者またはその疑いのある患者に関する該患者検査情報であることを特徴とする請求項９に記載の医療支援サーバ装置を提供することによって達成できる。
【００１７】
上記課題は、特許請求の範囲の請求項１１に記載の発明によれば、前記比較結果表示制御手段は、前記比較手段による比較結果に基づいて、前記患者検査情報間の前記データ項目内の値が共通する共通部分を、該共通部分以外とは異なる態様で表示させることを特徴とする請求項１に記載の医療支援サーバ装置を提供することによって達成できる。
【００１８】
上記課題は、特許請求の範囲の請求項１２に記載の発明によれば、前記医療支援サーバ装置は、さらに、前記検索手段による検索結果を表示させる制御を行う検索結果表示制御手段を備えることを特徴とする請求項９に記載の医療支援サーバ装置を提供することによって達成できる。
【００１９】
上記課題は、特許請求の範囲の請求項１３に記載の発明によれば、前記医療支援サーバ装置は、さらに、所定のテーマと該テーマに対応する検索条件として用いる前記項目とを設定するテーマ設定手段と、を備えることを特徴とする請求項９に記載の医療支援サーバ装置を提供することによって達成できる。
【００２０】
上記課題は、特許請求の範囲の請求項１４に記載の発明によれば、前記医療支援サーバ装置は、さらに、前記比較手段による比較結果に基づいて、前記複数の前記患者検査情報のグラフを作成するグラフ作成手段と、を備えることを特徴とする請求項９に記載の医療支援サーバ装置を提供することによって達成できる。
【００２１】
上記課題は、特許請求の範囲の請求項１５に記載の発明によれば、前記医療支援サーバ装置は、さらに、前記グラフ作成手段にグラフを作成させるために、該グラフ化の種類と、該グラフ化の対象となる前記項目とが設定されるグラフ化設定手段と、を備えることを特徴とする請求項１４に記載の医療支援サーバ装置を提供することによって達成できる。
【００２２】
上記課題は、特許請求の範囲の請求項１６に記載の発明によれば、前記格納手段に格納されている前記患者検査情報は、内視鏡検査に関する前記患者の検査情報であることを特徴とする請求項９に記載の医療支援サーバ装置を提供することによって達成できる。
【００２３】
上記課題は、特許請求の範囲の請求項１７に記載の発明によれば、各患者の検査に関する情報であって複数のデータ項目から構成される該情報である患者検査情報が格納されている格納装置から所定の該患者検査情報を検索する処理を、コンピュータに実行させる医療支援プログラムであって、前記データ項目に対応する項目に、前記患者検査情報のうち所定の患者検査情報を検索するための検索条件を入力させる検索条件入力処理と、前記検索条件に基づいて、前記患者検査情報を検索する検索処理と、前記検索処理により検索された複数の前記患者検査情報間で、それぞれの前記データ項目内の値を比較する比較処理と、前記比較処理による比較結果に基づいて、前記複数の前記患者検査情報を表示させる制御を行う比較結果表示制御処理と、を、コンピュータに実行させる医療支援プログラムを提供することによって達成できる。
【００２４】
上記課題は、特許請求の範囲の請求項１８に記載の発明によれば、前記検索条件入力処理により入力される前記所定の患者検査情報は、感染症に感染している患者またはその疑いのある患者に関する該患者検査情報であることを特徴とする請求項１７に記載の医療支援プログラムを提供することによって達成できる。
【００２５】
上記課題は、特許請求の範囲の請求項１９に記載の発明によれば、前記比較結果表示制御処理は、前記比較処理による比較結果に基づいて、前記患者検査情報間の前記データ項目内の値が共通する共通部分を、該共通部分以外とは異なる態様で表示させることを特徴とする請求項１７に記載の医療支援プログラムを提供することによって達成できる。
【００２６】
上記課題は、特許請求の範囲の請求項２０に記載の発明によれば、前記医療支援プログラムは、さらに、前記検索処理による検索結果を表示させる制御を行う検索結果表示制御処理を、コンピュータに実行させる請求項１７に記載の医療支援プログラムを提供することによって達成できる。
【００２７】
上記課題は、特許請求の範囲の請求項２１に記載の発明によれば、前記医療支援プログラムは、さらに、所定のテーマと該テーマに対応する検索条件として用いる前記項目とを設定するテーマ設定処理と、を、コンピュータに実行させる請求項１７に記載の医療支援プログラムを提供することによって達成できる。
【００２８】
上記課題は、特許請求の範囲の請求項２２に記載の発明によれば、前記医療支援プログラムは、さらに、前記比較処理による比較結果に基づいて、前記複数の前記患者検査情報のグラフを作成するグラフ作成処理と、を、コンピュータに実行させる請求項１７に記載の医療支援プログラムを提供することによって達成できる。
【００２９】
上記課題は、特許請求の範囲の請求項２３に記載の発明によれば、前記医療支援システムは、さらに、前記グラフ作成処理にグラフを作成させるために、該グラフ化の種類と、該グラフ化の対象となる前記項目とが設定されるグラフ化設定処理と、を、コンピュータに実行させる請求項２２に記載の医療支援プログラムを提供することによって達成できる。
【００３０】
上記課題は、特許請求の範囲の請求項２４に記載の発明によれば、前記格納処理に格納されている前記患者検査情報は、内視鏡検査に関する前記患者の検査情報であることを特徴とする請求項１７に記載の医療支援プログラムを提供することによって達成できる。
【００３１】
上記課題は、特許請求の範囲の請求項２５に記載の発明によれば、各患者の検査に関する情報であって複数のデータ項目から構成される該情報である患者検査情報が格納されている格納装置から所定の該患者検査情報を検索する医療支援方法であって、前記データ項目に対応する項目に、前記患者検査情報のうち所定の患者検査情報を検索するための検索条件を入力し、前記検索条件に基づいて、前記患者検査情報を検索し、前記検索された複数の前記患者検査情報間で、それぞれの前記データ項目内の値を比較し、前記比較結果に基づいて、前記複数の前記患者検査情報を表示させる制御を行うことを特徴とする医療支援方法を提供することによって達成できる。
【００３２】
上記課題は、特許請求の範囲の請求項２６に記載の発明によれば、前記複数の前記患者検査情報を表示させる制御を行う場合、前記比較結果に基づいて、前記患者検査情報間の前記データ項目内の値が共通する共通部分を、該共通部分以外とは異なる態様で表示させることを特徴とする請求項２５に記載の医療支援方法を提供することによって達成できる。
【００３３】
上記課題は、特許請求の範囲の請求項２７に記載の発明によれば、前記医療支援方法は、さらに、所定のテーマと該テーマに対応する検索条件として用いる前記項目とを設定することを特徴とする請求項２５に記載の医療支援方法を提供することによって達成できる。
【００３４】
上記課題は、特許請求の範囲の請求項２８に記載の発明によれば、前記医療支援方法は、さらに、前記比較処理による比較結果に基づいて、前記複数の前記患者検査情報のグラフを作成することを特徴とする請求項２５に記載の医療支援方法を提供することによって達成できる。
【発明の効果】
【００３５】
複数の患者や、検査に使用した機器から共通項目や検査を抽出して列挙することにより、集めたデータから因果関係を抽出できる。そのため、感染症の原因を特定する為の時間を省く事ができる。
【発明を実施するための最良の形態】
【００３６】
本発明では、感染症などが発生したときに、その原因となりそうな情報を絞り込み、提示することで原因究明までの時間と手間を省く。また、サーバに集めた全情報から、感染症と因果関係のある可能性のある項目を抽出する。
【００３７】
本発明の適用範囲は、例えば、看護部門、放射線部門、内視鏡部門、その他各種情報をシステムのデータベースに登録している部門システムである。なお、本発明は、データベースの構造や保存項目によらない。
【００３８】
看護部門には、患者の情報（病歴、手術歴、身長、体重、胸囲、身体特徴など）、患者の現在の居住地や実家や生活環境に関わる種々の要因（日ごろの運動量や居住区域の空気や水、土などから体内に摂取されるであろう物質など）、患者の検温情報や食事の献立とその材料とカロリーと含まれる物質、食べ残した食べ物の種類と量、排泄回数と時間と排泄物に含まれる物質、運動した時間と運動量と推定消費カロリー、投薬薬剤の投薬時間と種類と量と投薬経路と投薬者、投薬薬剤の購入日と生産ロットと管理方法、接触した外来者数と接触（面会）時間と回数、睡眠時間と睡眠の深さレベルなどの情報をシステムのデータベースに記録できる。
【００３９】
また、放射線部門には、放射線照射量と照射回数と照射時間とそれまでに患者が吸収しているであろう総放射線量、前記吸収放射線量を体の部位別に統計を取った量などの情報をシステムのデータベースに記録できる。
【００４０】
また、内視鏡部門には、来院時間や検査を行った医師や看護師、検査前や検査中に投薬した薬品の種類と量と投薬経路と投薬時間、検査に使用した器材の種類と数、検査前や検査中における患者の心拍数や血圧や酸素飽和度などの生体情報、検査の診断結果（病変や病気の重篤度、進行度、病変発見の部位など）、体内状態（大腸検査ならば大腸の洗浄状態、肺内検査ならば肺内の状態（喫煙による汚れや肺胞の死滅度など）、腹腔検査ならば内臓脂肪量やその他脂肪の量など）、器材洗浄担当者、洗浄処理の種類、洗浄結果、検査後の休憩時間、使用検査室、器材の総使用回数や修理来歴や購入日などの情報をシステムのデータベースに登録できる。
【００４１】
それでは、以下で本発明の実施の形態について説明する。
＜第１の実施形態＞
図１は、本実施形態における病院内の部門システムの全体構成を示す。病院内のシステムは、病院情報システム１（以下、ＨＩＳ（Ｈｏｓｐｉｔａｌ  Ｉｎｆｏｍａｔｉｏｎ  Ｓｙｓｔｅｍ）という）、内視鏡部門システム２、放射線部門システム２ａ、看護部門システム２ｃ、他部門システム１（２ｄ）、他部門システム２（２ｂ）、及びこれらの部門システム等を接続する基幹ＬＡＮ９等から構築されている。
【００４２】
ＨＩＳ１は、患者の基礎情報や会計情報等の管理するシステムである。このＨＩＳ１は、病院内のシステムにおいて、他の部門システムの上位に位置するシステムである。内視鏡部門システム２は、内視鏡を用いた検査や処置に関する情報を管理するシステムである。看護部門システム２ｃは、例えば、患者の検温情報、患者へ投与した薬剤に関する情報、入院期間の情報等の患者への看護に関する情報を管理するシステムである。放射線部門システム２ａは、ＣＴ等の放射線診断機器により撮像した画像等を管理するシステムである。
【００４３】
なお、本実施形態では、内視鏡部門システム２を例に説明するが、本発明は内視鏡部門システム２に限定されず、その他のあらゆる部門システムについて、適用することができる。
【００４４】
内視鏡部門システム２は、内視鏡部門サーバ３を有している。内視鏡部門サーバ３には、内視鏡に関する情報を管理するシステムが構築されており、例えば、内視鏡ファイリングシステム４が構築されている。
【００４５】
内視鏡ファイリングシステム４は、内視鏡診断画像等を管理するシステムであり、その内視鏡診断画像は、データベース（ＤＢ）５に格納されている。その他の部門システムも同様に、それぞれ部門サーバ３ａ，３ｂ，３ｃ，３ｄを有している。また、各部門システムは、クライアントＰＣ／サーバ６ａ，６ｂ，６ｃ，６ｄを有している。
【００４６】
図２は、本実施形態における内視鏡部門システム２の詳細を示す。内視鏡部門システムは、内視鏡部門サーバ３、内視鏡検査システム１０（１０ａ，１０ｂ）、クライアントパーソナルコンピュータ（クライアントＰＣ）１３，１３ａ、バイタルサインモニタ（ＶＳＭ）１４，１４ａ、洗浄機１５，１５ａ、アクセスポイント１７、携帯端末（ＰＤＡ）１８，１８ａ、及びこれらを接続する部門内ＬＡＮ１９から構成されている。部門内ＬＡＮ１９は、院内の基幹ＬＡＮ９と接続されている。
【００４７】
内視鏡検査システム１０ｂは、ビデオプロセッサ１２、モニタ１１等から構成される。ビデオプロセッサ１２は、内視鏡により撮像された内視鏡画像を画像処理する装置である。モニタ１１は、ビデオプロセッサ１２で画像処理された内視鏡画像を表示する装置である。内視鏡検査システム１０ａは、クライアントＰＣ１３ａを介してネットワークに部門内ＬＡＮ１９に接続されるタイプの内視鏡検査システムである。
【００４８】
クライアントＰＣ１３は、内視鏡部門サーバ３へ入力データを送信したり、内視鏡部門サーバ３に格納された情報を参照したりする端末である。ＶＳＭ１４は、患者のバイタルサイン（心拍数、血圧、酸素飽和度等）を登録・観察するためのものである。ＶＳＭ１４ａは、クライアントＰＣ１３を介して部門内ＬＡＮ１９に接続されるタイプのＶＳＭである。
【００４９】
洗浄機１５は、内視鏡を洗浄するための装置である。洗浄機１５ａは、クライアントＰＣ１３を介して部門内ＬＡＮ１９に接続されるタイプの洗浄機である。アクセスポイント１７は、無線によりクライアントＰＣ１３ｂやＰＤＡ１８ａを部門内ＬＡＮ１９に接続するためのインターフェースである。なお、部門内ＬＡＮ１９に接続されている機器（ビデオプロセッサ１２、モニタ１１、クライアントＰＣ１３，１３ａ、ＶＳＭ１４，１４ａ、洗浄機１５，１５ａ、アクセスポイント１７、ＰＤＡ１８，１８ａ等）を以下では医療機器と総称する。
【００５０】
なお、内視鏡部門サーバ３は、少なくとも制御装置（ＣＰＵ）、記憶装置（ハードディスク、ＲＡＭ、ＲＯＭ等）、通信インターフェース、入出力インターフェース、及びこれらを接続するバス等から構成されている。本発明にかかるプログラムは記憶装置に格納されており、そのプログラムが制御装置に読み出されて以下に示すように実行される。クライアントＰＣ１３も同様である。
【００５１】
部門内ＬＡＮ１９に接続された様々な上記の機器より種々の情報が入力され、その情報が内視鏡部門サーバに格納される。本実施形態では、この内視鏡部門サーバに格納された情報の二次利用を目的とする。なお、図２では内視鏡部門内ＬＡＮ１９と院内の基幹ＬＡＮ９とをセグメントを分けて表記しているが、同一セグメントにした構成でも良い。
【００５２】
図３は、本実施形態における内視鏡検査のフローとそれに関わる情報を示す。まず、患者が病院に来院して（ステップ１、以下ステップをＳと称する）、患者が受付を済ませる（Ｓ２）。受付では、病院スタッフがその患者に関する情報（生年月日、性別等）を端末に入力し、その情報に患者ＩＤが付与されてＨＩＳに登録される。また、内視鏡検査を受ける前には予約をする必要があり、その検査予約情報も入力される。その後、この患者に関する情報や検査予約情報等は内視鏡部門サーバ３に送信される。
【００５３】
内視鏡検査を受ける前に、患者は前処置を受ける（Ｓ３）。このとき、前処置の実施記録（麻酔として用いた薬剤名、その投薬量、術者名等）、バイタルサインデータ等が医療機器等から入力される。これらの情報は、内視鏡部門サーバ３に送信される。
【００５４】
次に、内視鏡検査の準備を行う（Ｓ４）。ここでは、どの種類（胃用、大腸用等）のどの内視鏡スコープを使用するか等の情報（例えば、内視鏡スコープのシリアルＮｏ．等）が医療機器等より入力され、内視鏡部門サーバ３に送信される。
【００５５】
次に、内視鏡検査を開始する（Ｓ５）。ここでは、内視鏡スコープにより撮像された内視鏡画像情報、内視鏡検査中に使用した機器及び処置具に関する情報が、医療機器等から入力され、内視鏡部門サーバ３に送信される。
【００５６】
内視鏡検査が終了すると（Ｓ６）、患者は、麻酔が覚めるまでリカバリールームにて安静にする（Ｓ７）。ここでは、バイタルサインデータ等が医療機器等から入力され、内視鏡部門サーバ３に送信される。
【００５７】
次に、上記の内視鏡検査に基づいて、医師により検査レポートが作成される（Ｓ８）。ここでは、医師による所見データ、内視鏡画像に対するアノテーションデータ（例えば、内視鏡画像の所定領域に注釈を加えたり、マーキングしたりする）、診断データ等がクライアントＰＣ１３から入力され、内視鏡部門サーバ３に送信される。次に、医師が患者へ検査結果を説明する（Ｓ９）。
【００５８】
次に、検査で用いた内視鏡スコープ、処置具等が洗浄される（Ｓ１０）。ここでは、洗浄に関する情報（洗浄回数、洗浄結果等）が洗浄サイクルログや洗浄履歴データとして医療機器等から入力され、内視鏡部門サーバ３に送信される。その後、洗浄された内視鏡スコープをしまう（Ｓ１１）。
【００５９】
図４は、本実施形態における内視鏡部門サーバ３に構築された内視鏡ファイリングシステム４の構成概念図を示す。内視鏡ファイリングシステム４は、少なくとも内視鏡部門サーバ３とクライアントＰＣ１３（またはクライアントＰＣ１３ａ）とからなる。内視鏡部門サーバ３は、ＤＢ（格納手段）５、情報登録手段２０、記憶手段２１、入力手段２２、情報受信手段２３、検査情報管理手段２４、感染源絞り込み手段２５を備える。
【００６０】
情報登録手段２０は、部門内ＬＡＮ１９を介して及びクライアントＰＣ１３やその他の医療機器等から送信された患者検査情報をＤＢ５に登録する。記憶手段２１は、ハードディスクやＲＡＭ、ＲＯＭ等の記憶装置であり、例えば、後述するように検索された患者検査情報を一時的に保存する。
【００６１】
入力手段２２は、キーボード、マウス、ＲＦＩＤ（Ｒａｄｉｏ  ｆｒｅｑｕｅｎｃｙ  Ｉｄｅｎｔｉｆｉｃａｔｉｏｎ）リーダ等の入力装置である。情報受信手段は、部門内ＬＡＮ１９と接続するための通信インターフェースである。検査情報管理手段２４は、ＤＢ５に登録された情報の更新、削除等の様々な管理を行う。
【００６２】
感染源絞り込み手段２５は、感染症に感染した患者の情報に基づいて、感染源を絞り込むことができる。感染源絞り込み手段２５は、検索条件入力手段２５ａ，検索手段２５ｂ、検索結果表示制御手段２５ｃ，比較手段２５ｄ，比較結果表示制御手段２５ｅを備える。
【００６３】
検索条件入力手段２５ａは、例えばブラウザを介してクライアントＰＣ１３から検索条件を入力させるためのユーザグラフィカルインターフェースの表示形態を制御する。クライアントＰＣ１３から、例えばブラウザを介して、検索条件入力手段２５ａに検索条件を入力する（２６）。
【００６４】
検索手段２５ｂは、検索条件入力手段２５ａにより入力された検索条件に基づいて、感染症にかかっているまたはその可能性のある患者を検索することによりその患者についての情報を絞り込む。
【００６５】
検索結果表示制御手段２５ｃは、検索手段２５ｂにより検索された結果を表示させることを制御する。この検索結果表示制御手段２５ｃによる制御により、クライアントＰＣ１３上に検索結果が表示される（２７）。
【００６６】
比較手段２５ｄは、検索手段２５ｂにより検索された患者情報相互間で共通するデータがあるか否かを比較する。比較結果表示制御手段２５ｅは、比較手段２５ｄにより比較された結果を表示させることを制御する。この比較結果表示制御手段２５ｅによる制御により、クライアントＰＣ１３上に比較結果が表示される（２８）。この比較結果表示制御手段では、比較手段２５ｄによる比較結果に基づいて、患者検査情報間の前記データ項目内の値が共通する共通部分を、該共通部分以外とは異なる態様（例えば、共通部分のセルの色を変えたり（図１５）、並び替えたり（図１６）、セルを結合したり（図１７，図１８，図１９）  等）で表示させる。
【００６７】
なお、これらの手段は、１つのサーバ内に存在する必要はなく、複数のサーバにまたがって存在していても良い。
次に、内視鏡ファイリングシステム４に登録された患者情報に基づいて、感染源を絞り込む場合について説明する。
【００６８】
図５は、内視鏡ファイリングシステム４内のＤＢ５に登録された患者の検査情報の一例を示す。患者の検査情報は、「名前」、「患者ＩＤ」、「性別」、「年齢」、「検査日」、「検査担当者」、・・・、「使用薬品」、「使用スコープ」、「使用器材」、「リプロセス担当」、・・・等のデータ項目から構成されている。患者の検査情報は、検査単位でレコード（以下、患者検査情報という）が作成される。従って、１患者について複数のレコード（患者検査情報）がある場合もある。
【００６９】
それでは、このＤＢ５に登録された患者検査情報を利用して、感染症の絞り込むことについて説明する。
図６は、本実施形態における感染症関連情報絞り込みウィンドウ３０を示す。感染症関連情報絞り込みウィンドウ３０は、クライアントＰＣ１３を起動させて、所定のプログラムを起動させるとディスプレイに表示される。
【００７０】
感染症関連情報絞り込みウィンドウ３０は、選択ボタン３１、検索条件入力欄３２、絞り込みボタン３３、キャンセルボタン３４、履歴表示ボタン３５から構成される。検索条件入力欄３２は、「患者ＩＤ」，「患者名」、「性別」、「年齢」、「検査日」、「検査担当医」、「使用薬品」、「使用スコープ」、「使用機器」、「リプロセス担当」、「検査室」、「検査時間」の入力項目がある。
【００７１】
検索条件入力欄３２に表示される上記の項目は、患者検査情報を構成するデータ項目に対応するものである。なお、本実施形態では、これら１２種類の項目しか検索条件入力欄３２に表示されていないが、これは一例であり、限定されない。なお、検索条件入力欄３２には、ＤＢ５に格納されている患者検査情報を構成する項目のうちの一部または全部が表示されてもよい。
【００７２】
検索条件入力欄３２には、各項目について任意に検索条件を入力することができる。このとき、検索条件入力欄３２の全ての項目について入力する必要はない。入力された項目の条件のみを頼りに検索を行うことができる。絞り込みボタン３３を押下すると、検索条件入力欄３２に入力された検索条件に基づいて、検索が実行される。検索結果は、図７に示す画面に表示される。
【００７３】
なお、選択ボタン３１により、「ＡＮＤ条件」または「ＯＲ条件」のいずれかを選択することができる。検索条件入力欄３２の複数の入力項目（以下、項目ともいう）に検索条件を入力した場合、「ＡＮＤ条件」を選択して、絞り込みボタン３３を押下すると、その入力された全ての条件を満たすＡＮＤ検索が実行される。また、検索条件入力欄３２の複数の項目に検索条件を入力した場合、「ＯＲ条件」を選択して、絞り込みボタン３３を押下すると、その入力された条件のうちいずれかに該当する患者情報を抽出するＯＲ検索が実行される。
【００７４】
キャンセルボタン３４を押下すると、当該感染症関連情報絞り込みウィンドウ３０を閉じる。履歴表示ボタン３５を押下すると、後述する図１１の画面が表示される。すなわち、複数回検索を行っている場合、この履歴表示ボタンを押すと、過去にどんな条件で検索したかを一覧表示（図１１参照）できる。
【００７５】
なお、看護部門システムや放射線部門システムなど他部門のシステムに本発明を適用した場合は、図６の検索条件入力欄３２の検索項目に限定されず、各システムで管理されている患者検査情報を構成するデータ項目に対応する項目が表示される。
【００７６】
図７は、本実施形態における絞り込み検索結果表示画面４０を示す。絞り込み検索結果表示画面４０は、感染症関連情報絞り込みウィンドウ３０の絞り込みボタン３３を押下すると表示される画面である。
【００７７】
絞り込み検索結果表示画面４０は、絞り込み検索結果表示一覧４１、ＯＫボタン４２から構成される。絞り込み検索結果表示一覧４１は、検索条件入力欄３２と同様に、検索条件に設定できる項目が全て列挙されて表示される。表示しきれない項目は、スクロールバー４３（縦方向スクロールバー４３ａ，横方向スクロールバー４３ｂ）をスクロールすることで表示することができる。ＯＫボタン４２を押下すると、当該絞り込み検索結果表示画面４０を閉じて、遷移元画面である感染症関連情報絞り込みウィンドウ３０に戻る。
【００７８】
以下では、図６および図７の使用の様子について、図８のフロー、及び図９〜図１９を参照しながら説明する。
図８は、本実施形態における検索・共通部分の抽出フローを示す。本フローの前提として、予め感染症に感染している患者名が判明しているものとする。
【００７９】
まず、図６の感染症関連情報絞り込みウィンドウ３０の検索条件入力欄３２の任意の項目に検索条件を入力する（図９参照）（Ｓ２１）。図９では、検索条件として、項目「患者名」に「オリンパスタロウ」を入力し、項目「検査日」に「２００４／１２／１０」を入力した場合の一例を示す。
【００８０】
検索条件を入力後、絞り込みボタン３３を押下すると、検索処理が実行される（Ｓ２２）。ここでは、絞り込みボタン３３が押下されると、検索条件入力欄３２の各項目に検索条件として入力されたキーワードが、部門内ＬＡＮ１９を介して内視鏡部門サーバ３に送信される。その検索条件を受信した内視鏡部門サーバ３では、検索手段２５ｂによって、ＤＢ５からその検索条件に合致する患者検査情報を検索する。
【００８１】
内視鏡部門サーバ３での検索処理が終了すると、その検索された患者検査情報がクライアントＰＣ１３に送信され、絞り込み検索結果表示画面４０の絞り込み検索結果表示一覧４１にその患者検査情報が表示される（図１０参照）（Ｓ２３）。絞り込み検索結果表示画面４０は、図４の検索結果表示２８に対応するものである。
【００８２】
図１０では、絞り込み検索結果表示一覧４１には、検査単位で、検査に関連付けられた全ての情報（患者検査情報）が表示される。なお、絞り込み検索結果表示一覧４１の表示領域には限度があるため、患者検査情報の項目が多数あり一度に全ての項目を表示させるができない場合には、非表示項目が存在する。このような非表示項目は、スクロールバー４３ｂをスクロールさせることで表示させることができる。なお、Ｓ２３の検索処理の結果、得られた患者検査情報は、記憶手段２１に一時的に保存される（Ｓ２４）。
【００８３】
さらに、追加で検索を行う場合、Ｓ２１〜Ｓ２４の処理を繰り返す（Ｓ２５）。例えば、感染症に感染している患者が複数存在する場合には、その人数分繰り返す。なお、Ｓ２４では、患者検査情報は、追記的に保存される。
【００８４】
全ての検索が完了したら、感染症関連情報絞り込みウィンドウ３０の履歴表示ボタン３５を押下すると、絞り込み結果比較ウィンドウ５０（図１１参照）が表示される（Ｓ２６）。
【００８５】
図１１は、本実施形態における絞り込み結果比較ウィンドウ５０を示す。絞り込み結果比較ウィンドウ５０は、絞り込み結果比較一覧５１と、比較ボタン５２と、キャンセルボタン５３から構成される。絞り込み結果比較一覧５１には、Ｓ２１〜Ｓ２５で検索された患者検査情報の全てが表示される。すなわち、記憶手段２１に一時的に累積的に保存された患者検査情報が内視鏡部門サーバ３からクライアントＰＣ１３へ送信され、絞り込み結果比較一覧５１に表示される。
【００８６】
絞り込み結果比較一覧５１には、検索条件入力欄３２と同様に、検索条件に設定できる項目が全て列挙される。また、絞り込み結果比較一覧５１に表示される各患者検査情報レコードの左側にはチェックボックス５１ａが設けられ、右側には詳細ボタン５１ｂ、削除ボタン５１ｃが設けられている。
【００８７】
チェックボックス５１ａのチェックをＯＮすることにより、各患者検査情報レコードを選択することできる。詳細ボタン５１ｂを押下すると、図１２の検査情報画面６０を表示することができる。削除ボタン５１ｃを押下すると、図１３に示すように、削除ボタン５１ｃに対応する患者検査情報レコードを絞り込み結果比較一覧５１から削除することができる。
【００８８】
絞り込み結果比較一覧５１の表示領域には限度があるため、患者検査情報の項目が多数あり一度に全ての項目を表示させるができない場合には、非表示項目が存在する。この非表示項目は、スクロールバー５４ａ，５４ｂをスクロールさせることで表示させることができる。なお、チェックボックス５１ａと、詳細ボタン５１ｂと、削除ボタン５１ｃはスクロールバー５４ｂをスクロールしても固定表示されたままである。
【００８９】
比較ボタン５２は、絞り込み結果比較一覧５１のチェックボックスが１つ以上チェックされている場合に、押下できるように制御されている。
なお、絞り込み結果比較一覧５１に表示される患者検査結果は、記憶手段２１に一時的に累積的に保存された情報であるので、内視鏡部門サーバ３を再起動したときには以前の検索結果は残っていない。
【００９０】
図１２は、本実施形態における検査情報画面６０を示す。検査情報画面６０は、図１１の詳細ボタン５１ｂを押下すると表示される。検査情報画面６０は、検査情報表示部６１と、ＯＫボタン６２から構成される。
【００９１】
検査情報表示部６１には、各患者検査情報に対応する検査の詳細情報が表示される。ＯＫボタン６２を押下すると、検査情報画面６０を閉じて遷移元画面である絞り込み結果比較ウィンドウ５０に戻る。
【００９２】
図１３は、削除ボタン５１ｃが押下された後の絞り込み結果比較ウィンドウ５０を示す。削除ボタン５１ｃを押下すると、削除ボタン５１ｃに対応する患者検査情報レコードが削除される。図１１と比べると、図１３では、名前「オリンパスハナコ」に関する患者検査情報が削除されて、絞り込み結果が減少していることが確認できる。なお、この削除処理は、記憶手段２１に一時的に記憶されている患者検査情報（図１３で削除された患者検査情報に対応する患者検査情報）に対しても実行される。
【００９３】
それでは、図８のフローの説明に戻る。Ｓ２６で絞り込み結果比較ウィンドウ５０を表示させた後、絞り込み結果比較一覧５１に表示されている患者検査情報のうち、比較させたい患者検査情報のチェックボックスをＯＮにして選択する（Ｓ２７）。チェックボックスをＯＮにした場合の絞り込み結果比較ウィンドウ５０を、図１４に示す。
【００９４】
Ｓ２７で比較する患者検査情報を選択した後、比較ボタン５２を押下する。そうすると、選択された患者検査情報同士を比較する旨の指示情報が内視鏡部門サーバ３へ送信される。内視鏡部門サーバ３の比較手段２５ｄでは、その選択された患者検査情報同士の各項目を比較して、その項目内の値が互いに共通するか否かを判別する（Ｓ２８）。この比較処理が終了すると、比較結果情報がクライアントＰＣ１３に送信される。
【００９５】
クライアントＰＣ１３は、その比較結果情報を受信すると、比較結果ウィンドウ７０（図１５参照）が表示される（Ｓ２９）。比較結果ウィンドウ７０は、図４の比較処理結果表示手段２８に対応するものである。
【００９６】
図１５は、本実施形態における比較結果ウィンドウ７０の一例を示す。比較結果ウィンドウ７０は、比較結果一覧７１と、ＯＫボタン７２とから構成される。比較結果一覧７１には、Ｓ２７で選択された患者検査情報レコードのみ表示されている。そして、各レコードの各項目の情報が共通している部分（共通部分）には、当該項目の背景色が同色で塗りつぶされて表示されている。
【００９７】
また、検査を担当した医師や検査に用いる器材など複数の情報が表示される項目は、１項目につき複数の列が存在してもよい。この場合には、１列毎に共通部分を表示する。例えば、図１５において、項目「検査担当者」は４列存在し、３名または４名の氏名が表示されている。項目「検査担当者」のうち左から１番目の列は、検査担当者「笛木」が共通部分である。また、左から２番目の列は、検査担当者「大庭」が共通部分である。また、左から３番目の列は、検査担当者「大和」が共通部分である。
【００９８】
また、ＩＤ、名前、性別、年齢などの患者の固有情報は、それぞれ１項目につき１列しか存在しない。したがって、上記した１項目につき複数の列の場合のような処理はせず、各列について共通部分を色分けして表示する。
【００９９】
また、共通部分が多く、色変えして塗りきれない場合は、例えば共通部分１と共通部分２の背景が同色で塗りつぶされる事もある。
また、複数の患者検査情報において、共通部分をソートした場合、例えば、図１５の項目「使用機器」のセルのように空白が入っても良い。なお、この項目「使用器材」は、見えない位置（スクロールバーによりスクロールすれば見ることができる位置）で「ＥＴ−２」が、当該項目「使用機材」の１列目と共通の器材（共通部分）となっており、２列目で「ＥＴ−３」が共通となっている。なお、ＥＴ−２，ＥＴ−３は、所定の医療機器の品番とする。
【０１００】
また、複数の患者検査情報で共通部分となり得なかった情報（図１５では、例えば項目「検査担当者」の「城山」、「水澤」など）は、同一カテゴリ（検査担当者）内で左詰め表示される。これについて、図１６を用いて説明する。
【０１０１】
図１６は、本実施形態における同一カテゴリ（検査担当者）内での共通部分及び非共通部分のソートの一例を示す。図１６（ａ）は、共通部分が明らかになる前（比較ボタン５２押下前）の情報である。比較ボタン５２を押下すると、まず、上述のように、共通属性項目のセルに着色する（図１６（ｂ））。そうすると、図１６（ｂ）に示す矢印のように共通部分「城山」を左端の列に移動させる（図１６（ｃ））。次に、図１６（ｃ）に示す矢印のように、非共通部分の「湯浅」、「岡田」をそれぞれ左から３列目、４列目のセルに移動させる（図１６（ｃ）→（ｄ））。
【０１０２】
このように、共通部分をそれぞれ背景色塗り等して列挙する。また、共通部分でも、１つの行にまとめて列挙できれば列挙する（図１６（ｃ）の状態）。非共通部分は、同じ行の左の列に詰めて表示する（左つめ処理）（図１６（ｃ）→（ｄ））。これらの処理を行うことで、マトリクスに穴（空白のセル）ができてもよい。
【０１０３】
また、項目「検査担当者」や項目「使用器材」のような比較結果一覧７１の項目名称部分（比較結果一覧７１のヘッダ部分）をクリックすると、各項目で最も多く共通となった属性を上位に並べ替えるソートを行うことができる。
【０１０４】
この比較結果一覧７１の利用方法としては、例えば、項目「使用器材」では３つの患者検査情報とも「ＥＴ−３」で共通部分となっている。このことから、感染源の候補として、ＥＴ−３が挙げられる。このことから、例えば検査日「２００４／１２／１０」以降に使用された使用器材「ＥＴ−３」が使用された他の患者を追跡することもでき、感染症の早期発見につながる。
【０１０５】
このように、共通部分を色分け表示することによって、感染源となりそうな情報を関連させて視覚的に表示できるので、感染原因を特定する為の時間を節約することができる。なお、比較結果は、共通部分のセルの背景を塗り潰したり、共通部分だけを表示したりなどいくつかの方法で表示できる。このバリエーションの一例を図１７〜図１９で説明する。
【０１０６】
図１７は、比較結果ウィンドウの別の表示形態の一例（その１）を示す。同図において、比較結果ウィンドウ８０は、比較結果一覧８１と、ＯＫボタン８２とから構成される。比較結果一覧８１は、図１５での比較結果一覧７１の行と列を入れ替えて表示させている。その他の比較結果ウィンドウ８０の構成は図１５と同様である。表示ルールは、一部を除いて図１５と同様である。図１５と異なる表示は、共通部分同士のセルを結合させて、一続きのセルで表現しているところである。ＯＫボタン８２は、ボタン７２に対応する。
【０１０７】
図１８は、比較結果ウィンドウの別の表示形態の一例（その２）を示す。同図において、比較結果ウィンドウ９０は、比較結果一覧９１と、ＯＫボタン９２と、詳細ボタン９３から構成される。ＯＫボタン９２は、ボタン７２に対応する。
【０１０８】
比較結果ウィンドウ９０の比較結果一覧９１では、比較に関係する人名が固定表示される。比較結果一覧９１では、２つ以上の患者検査情報で共通となる項目内の値だけが表示される。共通部分ではない項目の部分は、空白が表示される。図１８において、例えば、ＩＤ、年令は、共通部分が存在しなかったために、空白で表示されている。
【０１０９】
項目毎に設けられた詳細ボタン９３を押下すると、図１５のように各項目内の値を全て列挙する（すなわち、共通部分ではない項目のため空白表示されたセルが表示される。）。
【０１１０】
また、共通部分とそうでない部分とが混じって存在するときは「＆」を表示する。図１８においては、例えば、比較結果一覧９１に表示可能（スクロールして表示可能なものも含む。）である全ての患者検査情報の項目「使用器材」の値が、「ＥＴ−３」の場合には、比較結果一覧９１の項目「使用器材」には「ＥＴ−３」しか表示しない。しかしながら、もし共通部分「ＥＴ−３」以外に、非共通の値「ＥＴ−４」存在する場合には、「ＥＴ−３＆」というように、共通部分の値の末尾に「＆」を付加して表示する。
【０１１１】
図１９は、比較結果ウィンドウの別の表示形態の一例（その３）を示す。同図において、比較結果ウィンドウ１００は、比較結果一覧１０１と、ＯＫボタン１０２とから構成される。ＯＫボタン１０２は、ボタン７２に対応する。図１９は、図１８の変形例であり、人名についても共通部分がない場合には表示しない。
【０１１２】
なお、図１５〜図１９の表示形態は一例であって、これに限定されない。すなわち、共通部分がそうでない部分と区別し得る態様で表示されていればよい。例えば、共通部分のセルを強調表示、反転表示させたり、このセル内の文字を拡大表示させたりしてもよい。
【０１１３】
上記では、図８に従い一連の処理を説明したが、以下では他の検索例について説明する。図８では、Ｓ２１で感染症関連情報絞り込みウィンドウ３０に検索条件として入力したのは、患者名と検査日であったため、絞り込み検索結果表示画面４０に表示される検索結果は１つであった（図１０参照）。（図１０の場合には、１検査日に１つの患者検査情報しか登録されていなかったので、このような結果になっている）。そこで、以下では、複数の検索結果が表示される場合について説明する。
【０１１４】
図２０は、Ｓ２３で複数の検索結果が表示されている絞り込み検索結果表示画面４０の一例を示す。図２０は、感染症関連情報絞り込みウィンドウ３０で検索条件として項目「性別」に「男」を入力して検索した場合の検索結果である。そうすると、男性患者のみの患者検査情報が検索されて表示される。
【０１１５】
図２１は、複数の検索結果がでる検索を実行したときの絞り込み結果比較ウィンドウ５０の一例を示す。図２０のように、複数の検索結果が表示される検索結果の場合、絞り込み結果比較ウィンドウ５０には検索条件が表示される。詳細ボタン５１ｂを押下すると、そのときに設定していた検索条件が図２２のような形で表示される。また、図２０のような通常検索結果と図１１のような絞り込み検索の結果を併せて、共通項目を取り出す「比較」を行わせることも可能である。
【０１１６】
図２２は、図２１で詳細ボタンを押下すると表示される画面である。このように、検査が特定できない場合は、感染症関連情報絞り込みウィンドウ３０で設定した検索条件が表示される。
【０１１７】
以上より、感染症に感染したまたはその可能性のある患者の患者検査情報を検索し、検索された患者検査情報間で、共通する部分を視覚的な面を考慮して表示させることにより、感染源の候補を絞り込むことができる。それにより、医師等が感染源を特定する作業を容易にすることができる。また、病院内の情報を有効活用することができる。
【０１１８】
＜第２の実施形態＞
第１の実施形態では、感染症関連情報絞り込みウィンドウ３０の検索条件入力欄３２に表示される項目は固定されていた。そこで、本実施形態では、テーマ（例えば、感染症名等）毎に検索条件入力欄３２に表示される項目をユーザが任意で設定できるようにする。
【０１１９】
図２３は、本実施形態における内視鏡部門サーバ３に構築された内視鏡ファイリングシステム４の構成概念図を示す。図２３は、図４の内視鏡ファイリングシステム４にテーマ設定手段１１０を追加したものである。
【０１２０】
ユーザがクライアントＰＣより新たなテーマを入力（１１１）すると、テーマ設定手段１１０によりテーマが登録される。これにより、ユーザが任意に新たにテーマを設定することができる。さらに、そのテーマが選択された場合に表示させる項目とを任意で設定できる。テーマ設定手段１１０で設定された情報は、記憶手段２１で保存される。
【０１２１】
なお、これらの手段は、１つのサーバ内に存在する必要はなく、複数のサーバにまたがって存在していても良い。また、テーマの入力は、サーバの入力手段２２から行ってもよい。
【０１２２】
図２４は、本実施形態におけるテーマ作成のフローを示す。まず、クライアントＰＣ１３を起動させて、所定のプログラムを起動させると、テーマ作成ウィンドウ（図２５参照）がディスプレイに表示される（Ｓ３１）。以下では、図２５及び図２６を用いて、本フローを説明する。
【０１２３】
図２５は、本実施形態におけるテーマ作成ウィンドウ１２０を示す。テーマ作成ウィンドウ１２０は、テーマ名入力欄１２１、表示項目設定欄１２２、保存ボタン１２３、キャンセルボタン１２４から構成される。キャンセルボタン１２４を押下すると、当該テーマ作成ウィンドウ１２０を閉じる。
【０１２４】
テーマ名入力欄１２１には、感染症の候補となる名称（例えば、「Ｃ型肝炎」、「Ｏ−１５７」等）を入力する（Ｓ３２）。ここでは、一例として、「Ｃ型肝炎」と入力する。
次に、表示する検索条件を選択する（Ｓ３３）。この操作について詳述する。表示項目設定欄１２２には、ＤＢ５に格納されている患者検査情報を構成するデータ項目名の全てが表示されている。そして、各項目名について、選択ボタン（あり／無）が設けられている。そこで、ユーザは各項目について、感染症関連情報絞り込みウィンドウ３０の検索条件入力欄３２に表示させるかどうかを設定できる。例えば、項目名「名前」を検索条件入力欄３２に表示させる場合には、その項目名「名前」に対応する選択ボタン「あり」をＯＮにする。また、例えば、項目名「ＩＤ」を検索条件入力欄３２に表示させない場合には、その項目名「ＩＤ」に対応する選択ボタン「無」をＯＮにする。設定後は、例えば図２６のようになる。なお、以下ではＳ３３で設定した項目を表示させるか否かの情報を設定項目情報という。
【０１２５】
表示する検索条件の選択後、保存ボタン１２３を押下すると、当該テーマ作成ウィンドウ１２０で設定した内容が、内視鏡部門サーバ３の記憶手段２１に保存される（Ｓ３４）。保存後には、当該テーマ作成ウィンドウ１２０は閉じる。各テーマについて、Ｓ３２−Ｓ３５の処理を行う（Ｓ３５）。
【０１２６】
次に、図２４のフローで作成したテーマに関する検索を行う場合について説明する。
図２７は、本実施形態におけるテーマ毎の検索のフローを示す。第１の実施形態と同様に、感染症関連情報絞り込みウィンドウ３０を開く（図２８参照）（Ｓ４１）。以下では、図２８及び図２９を用いて、本フローを説明する。
【０１２７】
図２８は、本実施形態における感染症関連情報絞り込みウィンドウ３０を示す。図２８は、図６の感染症関連情報絞り込みウィンドウ３０にテーマリストボックス１３０を追加したものである。このテーマリストボックス１３０の右端の矢印をマウス等でクリックすると、Ｓ３２で作成したテーマ名が一覧として表示される。このテーマの一覧情報は、当該感染症関連情報絞り込みウィンドウ３０が表示されるときに、内視鏡部門サーバ３の記憶手段２１から取得される。
【０１２８】
そこで、これらのテーマ名のうち、例えば「Ｃ型肝炎」を選択すると（Ｓ４２）、図２９に示すように検索条件入力欄３２の表示項目が変更される。この検索条件入力欄３２に表示されている項目は、Ｓ３３で選択ボタン「あり」に設定した項目である。これについて、より詳述する。テーマリストボックス１３０においてテーマ名が選択されると、その選択されたテーマ情報が内視鏡部門サーバ３へ送信される。内視鏡部門サーバ３では、そのテーマ情報に対応する項目情報（Ｓ３４で保存された設定項目情報）を記憶手段２１から取得し、それをクライアントＰＣ１３へ送信する。クライアントＰＣ１３では、その受信した設定項目情報に基づいて、表示させる項目だけを検索条件入力欄３２に表示させる。
【０１２９】
Ｓ４２の処理以降は、図８のフロー（Ｓ２１−Ｓ２９）と同様である（Ｓ４３）。
以上より、第１の実施形態ではＤＢ５に登録されている患者検査情報を構成する項目の全てが表示されていた（スクロールバーをスクロールさせて表示可能となる項目も含む）が、この場合には検索条件が非常に多く列挙される。そのため、ユーザにとって分かりにくい場合がある、また入力の手間がかかる。しかしながら、第２の実施形態では、ユーザの任意で表示させる項目を変更でき、必要な項目（例えば、テーマごとに経験的にある程度分かっている項目等）だけを表示させることができる。または、そのテーマについて明らかに不要なテーマを表示させないこともできる。
【０１３０】
＜第３の実施形態＞
本実施形態では、第１または第２の実施形態において比較した患者検査情報をグラフ化させることについて説明する。
【０１３１】
図３０は、本実施形態における内視鏡部門サーバ３に構築された内視鏡ファイリングシステム４の構成概念図を示す。図３０は、図４の内視鏡ファイリングシステム４にグラフ化設定手段１４０とグラフ作成手段１４１とを追加したものである。
【０１３２】
グラフ化設定手段１４０は、第１または第２の実施形態において比較した患者検査情報の各項目について、グラフ化して表示させるときの条件を設定することができる。クライアントＰＣ１３に例えばブラウザを介して表示されるグラフ化設定入力画面１４２にグラフ化をするための設定情報を入力する。そうすると、グラフ化設定手段１４０にその設定情報が設定される。グラフ作成手段１４１は、グラフ化設定手段１４０による設定に基づいて、グラフを作成する。
【０１３３】
なお、これらの手段は、１つのサーバ内に存在する必要はなく、複数のサーバにまたがって存在していても良い。
図３１は、本実施形態におけるグラフ作成フローを示す。まず、第１の実施形態と同様に、感染症関連情報絞り込みウィンドウ３０を開く（図６参照）（Ｓ５１）。それから、検索条件入力欄３２に検索条件を入力して検索処理を行い、さらに比較処理を行う（Ｓ５２）。Ｓ５２は、図８のフロー（Ｓ２１−Ｓ２９）と同様である。
【０１３４】
そうすると、比較処理後、図３３または図４１の画面が表示される。図３３は実施例１にかかる比較結果ウィンドウであり、図４１は実施例２にかかる比較結果ウィンドウである。以下では、各実施例について説明する。
【０１３５】
（実施例１）
実施例１では、ユーザが任意で比較された共通部分を有する項目を選択して、グラフ化して表示することができる。
【０１３６】
図３２は、第３の実施形態の実施例１におけるグラフ作成フローを示す。図３２はＳ５３の処理の詳細なフローである。以下では、図３１及び図３２を参照しながら、図３３〜図３９について説明する。
【０１３７】
図３３は、第３の実施形態の実施例１における比較結果ウィンドウ７０を示す。図３３は、図１５の比較結果ウィンドウ７０に、グラフ化対象選択ボタン１５０を追加したものである。グラフ化対象選択ボタン１５０を押下すると（Ｓ５３，Ｓ６１）、グラフ作成ウィンドウ（図３４参照）が表示される。
【０１３８】
図３４は、第３の実施形態の実施例１におけるグラフ作成ウィンドウ１６０を示す。グラフ作成ウィンドウ１６０では、グラフ化する項目や作成するグラフの種類などの条件を指定できる。
【０１３９】
グラフ作成ウィンドウ１６０は、リストボックス「グラフの種類」１６１、グラフ化項目設定欄１６２、グラフ化ボタン１６３、キャンセルボタン１６４から構成される。キャンセルボタン１６４を押下すると、当該グラフ作成ウィンドウ１６０を閉じる。
【０１４０】
リストボックス「グラフの種類」１６１の右端の矢印をマウス等でクリックすると、図３５に示すように、「円柱グラフ」、「棒グラフ」、「折れ線グラブ」のグラフの種類のリストが表示される。ユーザは、任意にいずれかのグラフの種類を選択することができる（Ｓ６２）。本実施例では、例えば、「円柱グラフ」を選択する。
【０１４１】
なお、グラフの種類は、「円柱グラフ」、「棒グラフ」、「折れ線グラブ」に限定されない。つまり、システムに複数のグラフ化アルゴリズムを搭載することで、グラフ化できる種類を増やすことができる。
【０１４２】
グラフ化項目設定欄１６２には、比較結果ウィンドウ７０の比較結果一覧７１の項目名（スクロールバーをスクロールして表示可能な項目も含む）の全てが表示される。そして、各項目名について、選択ボタン（あり／なし）が設けられている。そこで、ユーザは各項目について、グラフ化して表示させるかどうかを設定できる（Ｓ６３）。
【０１４３】
例えば、項目名「検査日」についてグラフを作成する場合には、その項目名「検査日」に対応する選択ボタン「有」をＯＮにする。また、例えば、項目名「名前」についてグラフを作成しない場合には、その項目名「名前」に対応する選択ボタン「無」をＯＮにする。設定後は、例えば図３６のようになる。
【０１４４】
Ｓ６２，Ｓ６３での設定後、グラフ化ボタン１６３を押下すると（Ｓ６４）、Ｓ６２，Ｓ６３で設定した情報が内視鏡部門サーバ３へ送信され、図表作成手段にてグラフが作成される。作成されたグラフ化情報は、クライアントＰＣ１３へ送信される。そうすると、クライアントＰＣのディスプレイ上に、図３７、図３８、または図３９に示すように、各項目についての比較結果がグラフ化表示される（Ｓ５４）。
【０１４５】
図３７は、比較結果グラフ化表示ウィンドウの一例（その１）を示す。比較結果グラフ化表示ウィンドウ１７０は、項目別グラフ表示部１７１、印刷ボタン１７２、ＯＫボタン１７３から構成される。
【０１４６】
項目別グラフ表示部１７１は、項目選択タブ１７１ａ、グラフ化表示領域１７１ｂから構成される。項目選択タブ１７１ａは、Ｓ６３で「有」に選択した項目分表示される。項目選択タブ１７１ａのいずれかのタブを選択すると、その選択した項目選択タブ１７１ａに表示されている項目についてのグラフがグラフ化表示領域１７１ｂに表示される。なお、グラフ化表示領域１７１ｂに表示されるグラフの種類は、Ｓ６２で選択したものである。
【０１４７】
同図では、項目「検査」について、「２００４／１２／１０」、「２００４／１２／１１」、「その他」が表示されている。このうち、「２００４／１２／１０」と「２００４／１２／１１」は、それぞれ共通部分としてまとめられており、共通部分ではない部分は、「その他」でまとめられている。
【０１４８】
印刷ボタン１７２を押下すると、項目別グラフ表示部１７１の内容が印刷される。ＯＫボタン１７３を押下すると、当該比較結果グラフ化表示ウィンドウ１７０を閉じる。
図３８は、比較結果グラフ化表示ウィンドウの一例（その２）を示す。図３７では、項目選択タブ１７１ａを切り替えることで、１つのウィンドウでグラフ化対象の項目のグラフを表示させたが、図３８では、グラフ化対象の項目のグラフ表示をウィンドウ別に表示させるようにした一例である。印刷ボタンＯＫボタン１７３の機能は、図３７と同様である。
【０１４９】
図３９は、比較結果グラフ化表示ウィンドウの一例（その３）を示す。図３９は、グラフの種類が「棒グラフ」の場合を示す。印刷ボタンＯＫボタン１７３の機能は、図３７と同様である。
【０１５０】
以上より、患者検査情報の項目別の比較について、グラフ化して表示することができるので、ユーザによる感染源の特定がよりいっそう視覚的に容易になる。
（実施例２）
実施例２では、ユーザがグラフを選択することにより、比較結果ウィンドウ７０に表示された項目（スクロールバーをスクロールして表示可能となる項目も含む）のうち共通部分を有する項目のみグラフ化することができる。
【０１５１】
図４０は、第３の実施形態の実施例２におけるグラフ作成フローを示す。図４０はＳ５３の処理の詳細なフローである。以下では、図３１及び図４０を参照しながら、図４１および図４２について説明する。
【０１５２】
図４１は、第３の実施形態の実施例２における比較結果ウィンドウ７０を示す。図４１は、図１５の比較結果ウィンドウ７０に、リストボックス１９０を追加したものである。グラフ化対象選択ボタン１５０を押下すると（Ｓ５３，Ｓ７１）、グラフ作成ウィンドウ（図３４参照）が表示される。
【０１５３】
リストボックス１９０の右端の矢印をマウス等でクリックすると、図４２に示すように、「円柱グラフ」、「棒グラフ」のグラフの種類のリストが表示される。ユーザは、任意にいずれかのグラフの種類を選択することができる（Ｓ７２）。なお、グラフの種類は、「円柱グラフ」、「棒グラフ」に限定されない。つまり、システムに複数のグラフ化アルゴリズムを搭載することで、グラフ化できる種類を増やすことができる。
【０１５４】
Ｓ７２でのグラフの選択後、その選択した情報が内視鏡部門サーバ３へ送信され、グラフ作成手段１４１にてグラフが作成される。作成されたグラフ化情報は、クライアントＰＣ１３へ送信される。そうすると、クライアントＰＣのディスプレイ上に、図３７、図３８、または図３９に示すように、各項目についての比較結果がグラフ化表示される（Ｓ５４）。
【０１５５】
なお、本実施例では、比較結果ウィンドウ７０の比較結果一覧７１の項目（スクロールバーをスクロールして表示可能な項目も含む）のうち、共通部分を有する項目について上記で選択したグラフの種類でグラフ化される。したがって、性別、検査日、担当者、使用器材などがグラフ化され、名前やＩＤなどの共通情報とならなかった項目は、グラフ化されない。
【図面の簡単な説明】
【０１５６】
【図１】第１の実施形態における病院内の部門システムの全体構成を示す。
【図２】第１の実施形態における内視鏡部門システム２の詳細を示す。
【図３】第１の実施形態における内視鏡検査のフローとそれに関わる情報を示す。
【図４】第１の実施形態における内視鏡部門サーバ３に構築された内視鏡ファイリングシステム４の構成概念図を示す。
【図５】第１の実施形態における内視鏡部門サーバ３内のＤＢ５に登録された患者の検査情報の一例を示す。
【図６】第１の実施形態における感染症関連情報絞り込みウィンドウ３０を示す。
【図７】第１の実施形態における絞り込み検索結果表示画面４０を示す。
【図８】第１の実施形態における検索・共通部分の抽出フローを示す。
【図９】第１の実施形態における感染症関連情報絞り込みウィンドウ３０の検索条件入力欄３２に検索条件を入力した状態を示す。
【図１０】第１の実施形態における検索後の絞り込み検索結果表示画面４０の様子を示す。
【図１１】第１の実施形態における絞り込み結果比較ウィンドウ５０を示す。
【図１２】第１の実施形態における検査情報画面６０を示す。
【図１３】第１の実施形態における削除ボタン５１ｃが押下された後の絞り込み結果比較ウィンドウ５０を示す。
【図１４】第１の実施形態におけるチェックボックスにチェックがされた絞り込み結果比較ウィンドウ５０を示す。
【図１５】第１の実施形態における比較結果ウィンドウ７０の一例を示す。
【図１６】第１の実施形態における同一カテゴリ（検査担当者）内での共通部分及び非共通部分のソートの一例を示す。
【図１７】第１の実施形態における比較結果ウィンドウの別の表示形態の一例（その１）を示す。
【図１８】第１の実施形態における比較結果ウィンドウの別の表示形態の一例（その２）を示す。
【図１９】第１の実施形態における比較結果ウィンドウの別の表示形態の一例（その３）を示す。
【図２０】第１の実施形態におけるＳ２３で複数の検索結果が表示されている絞り込み検索結果表示画面４０の一例を示す。
【図２１】第１の実施形態における複数の検索結果がでる検索を実行したときの絞り込み結果比較ウィンドウ５０の一例を示す。
【図２２】第１の実施形態における図２１で詳細ボタンを押下すると表示される画面を示す。
【図２３】第２の実施形態における内視鏡部門サーバ３に構築された内視鏡ファイリングシステム４の構成概念図を示す。
【図２４】第２の実施形態におけるテーマ作成のフローを示す。
【図２５】第２の実施形態におけるテーマ作成ウィンドウ１２０を示す。
【図２６】第２の実施形態におけるテーマ名及び表示項目設定後のテーマ作成ウィンドウ１２０を示す。
【図２７】第２の実施形態におけるテーマ毎の検索のフローを示す。
【図２８】第２の実施形態における感染症関連情報絞り込みウィンドウ３０（テーマ選択前）を示す。
【図２９】第２の実施形態における感染症関連情報絞り込みウィンドウ３０（テーマ選択後）を示す。
【図３０】第３の実施形態における内視鏡部門サーバ３に構築された内視鏡ファイリングシステム４の構成概念図を示す。
【図３１】第３の実施形態におけるグラフ作成フローを示す。
【図３２】第３の実施形態の実施例１におけるグラフ作成フローを示す。
【図３３】第３の実施形態の実施例１における比較結果ウィンドウ７０を示す。
【図３４】第３の実施形態の実施例１におけるグラフ作成ウィンドウ１６０を示す。
【図３５】第３の実施形態の実施例１におけるリストボックス内に含まれるグラフの種類の一例を示す。
【図３６】第３の実施形態の実施例１における設定後のグラフ作成ウィンドウ１６０を示す。
【図３７】第３の実施形態の実施例１における比較結果グラフ化表示ウィンドウの一例（その１）を示す。
【図３８】第３の実施形態の実施例１における比較結果グラフ化表示ウィンドウの一例（その２）を示す。
【図３９】第３の実施形態の実施例１における比較結果グラフ化表示ウィンドウの一例（その３）を示す。
【図４０】第３の実施形態の実施例２におけるグラフ作成フローを示す。
【図４１】第３の実施形態の実施例２における比較結果ウィンドウ７０を示す。
【図４２】第３の実施形態の実施例２におけるリストボックス内に含まれるグラフの種類の一例を示す。
【符号の説明】
【０１５７】
１      ＨＩＳ
２      内視鏡部門システム
２ａ    放射線部門システム
２ｃ    看護部門システム
２ｄ    他部門システム１
２ｂ    他部門システム２
３      内視鏡部門サーバ
３ａ，３ｂ，３ｃ，３ｄ  部門サーバ
４      内視鏡ファイリングシステム
５      ＤＢ
６（６ａ，６ｂ，６ｃ，６ｄ）  クライアントＰＣ／サーバ
９      基幹ＬＡＮ９
１０（１０ａ，１０ｂ）  内視鏡検査システム
１１    モニタ
１２    ビデオプロセッサ
１３，１３ａ，１３ｂ  クライアントＰＣ
１４，１４ａ  バイタルサインモニタ
１５，１５ａ  洗浄機
１７    アクセスポイント
１８，１８ａ  ＰＤＡ
１９    部門内ＬＡＮ
２０    情報登録手段
２１    記憶手段
２２    入力手段
２３    情報受信手段
２４    検査情報管理手段
２５    感染源絞り込み手段
２５ａ  検索条件入力手段
２５ｂ  検索手段
２５ｃ  検索結果表示制御手段
２５ｄ  比較手段
２５ｅ  比較結果表示制御手段
１１０  テーマ設定手段
１４０  グラフ化設定手段
１４１  グラフ作成手段
【図１】
2006277656.tif 000003
【図２】
2006277656.tif 000004
【図４】
2006277656.tif 000005
【図５】
2006277656.tif 000006
【図６】
2006277656.tif 000007
【図７】
2006277656.tif 000008
【図８】
2006277656.tif 000009
【図９】
2006277656.tif 000010
【図１０】
2006277656.tif 000011
【図１１】
2006277656.tif 000012
【図１２】
2006277656.tif 000013
【図１３】
2006277656.tif 000014
【図１４】
2006277656.tif 000015
【図１８】
2006277656.tif 000016
【図１９】
2006277656.tif 000017
【図２０】
2006277656.tif 000018
【図２１】
2006277656.tif 000019
【図２２】
2006277656.tif 000020
【図２３】
2006277656.tif 000021
【図２４】
2006277656.tif 000022
【図２５】
2006277656.tif 000023
【図２６】
2006277656.tif 000024
【図２７】
2006277656.tif 000025
【図２８】
2006277656.tif 000026
【図２９】
2006277656.tif 000027
【図３０】
2006277656.tif 000028
【図３１】
2006277656.tif 000029
【図３２】
2006277656.tif 000030
【図３４】
2006277656.tif 000031
【図３５】
2006277656.tif 000032
【図３６】
2006277656.tif 000033
【図４０】
2006277656.tif 000034
【図３】
2006277656.tif 000035
【図１５】
2006277656.tif 000036
【図１６】
2006277656.tif 000037
【図１７】
2006277656.tif 000038
【図３３】
2006277656.tif 000039
【図３７】
2006277656.tif 000040
【図３８】
2006277656.tif 000041
【図３９】
2006277656.tif 000042
【図４１】
2006277656.tif 000043
【図４２】
2006277656.tif 000044